(57)【要約】【課題】      ケースに収納したディスクが振動や衝撃によって不支持の状態にならないようにすると共に、ディスクのセンター孔の欠損はもとよりディスクの記録面に傷が付くのをなくする。【解決手段】  ディスクケースＫの箱体１或いは蓋体３の片方の主壁４の内面にディスクＡのセンター孔ａを嵌装するディスクの位置決め突部６を設け、上記主壁の内面で、上記突部を挟んで対向する片方にディスクの周縁一部が嵌り込む支承部７を、もう片方にディスクの周縁前記主壁の裏面側への加圧にともないディスクの周縁との接触により回転し、かつ回転終了時点にディスクの周縁押え込み部を有する回転体８を設け、押え込み状況下の上記回転体の回転停止手段１４を設けて、ディスクを支持する。【選択図】    図１
2005067718.tif 000002
【特許請求の範囲】
【請求項１】
箱体と、この箱体の周壁一辺側にヒンジを介し開閉自在に設けた蓋体とでケースを形成し、この箱体及び蓋体の少なくとも片方の主壁の内面にディスクのセンター孔を嵌装するディスクの位置決め突部を設け、上記主壁の内面で、上記突部を挟んで対向する片方にディスクの周縁一部が嵌り込む支承部を、もう片方にディスクの周縁前記主壁の裏面側への加圧にともないディスクの周縁との接触により回転し、かつ回転終了時点にディスクの周縁押え込み部を有する回転体を設け、押え込み状況下の上記回転体の回転停止手段を設けたことを特徴とするディスクケース。
【請求項２】
前記箱体と蓋体との突部を有しない側の片方に板状体を嵌装すると共に、この板状体の中央にディスクのセンター孔を嵌装するディスクの位置決め突部を設け、上記板状体の上記突部を挟んで対向する片方に支承部を、もう片方に回転停止手段付の回転体を設けたことを特徴とする請求項１に記載のディスクケース。
【発明の詳細な説明】
【技術分野】
【０００１】
この発明は、ケースにディスクを安定よく支持して収納するディスクケースに関する。
【背景技術】
【０００２】
箱体と、この箱体の周壁一辺側にヒンジを介し開閉自在に設けた蓋体とで形成したディスクケースにディスクを収納する際、ディスクケース内でのディスクの移動を止めて安定よく支持するため、ディスクケース内の支持爪にディスクのセンター孔を嵌装するようになっている（例えば、特許文献１）。
【０００３】
【特許文献１】特開２００２−８００８６号公報（図２２）
【発明の開示】
【発明が解決しようとする課題】
【０００４】
ところで、特許文献１の支持方式によると、円周上に点在的に配置してある支持爪の外側にディスクのセンター孔を嵌め込むと、センター孔の縁によって各支持爪を内方に押し戻し、センター孔の嵌め込み終了にともない押し戻しが解除されて外方に広がる支持爪によりセンター孔が支持される。
【０００５】
なお、支持爪は、硬質合成樹脂を用いたディスクケースの成形の際、一体的に成形して設けられている。
【０００６】
しかしながら、センター孔に対する各支持爪の押圧力（圧接力）を強くしておくと、支持ディスクを取り外す際センター孔の縁が支持爪の爪部に引っかかってセンター孔が欠損する問題があった。
【０００７】
また、センター孔に対する各支持爪の押圧力が弱いと、振動や衝撃が加わると、支持爪からセンター孔が外れる。
【０００８】
すると、ケース内でディスクが動くので、ディスクの記録面が傷付く問題が発生した。
【０００９】
そこで、この発明の課題は、ディスクの取り外しにともないセンター孔の欠損をなくすると共に、ケース内でのディスクの移動を止めて記録面に傷が付くのを防止するディスクケースを提供することにある。
【課題を解決するための手段】
【００１０】
上記のような課題を解決するため、この発明は、箱体と、この箱体の周壁一辺側にヒンジを介し開閉自在に設けた蓋体とでケースを形成し、この箱体及び蓋体の少なくとも片方の主壁の内面にディスクのセンター孔を嵌装するディスクの位置決め突部を設け、上記主壁の内面で、上記突部を挟んで対向する片方にディスクの周縁一部が嵌り込む支承部を、もう片方にディスクの周縁前記主壁の裏面側への加圧にともないディスクの周縁との接触により回転し、かつ回転終了時点にディスクの周縁押え込み部を有する回転体を設け、押え込み状況下の上記回転体の回転停止手段を設けた構成を採用する。
【００１１】
この発明において、突部にディスクのセンター孔を嵌装してケース内でのディスクの位置決めをすると共に、支承部にディスクの周縁を係止状態に支承する。
【００１２】
一方、ディスクの周縁支承部に対向する部分は周縁側の加圧にともない回転体を強制的に回転させながら押え込んで支持する。
【００１３】
また、箱体と蓋体との突部を有しない側の片方に板状体を嵌装すると共に、この板状体の中央にディスクのセンター孔を嵌装するディスクの位置決め突部を設け、上記板状体の上記突部を挟んで対向する片方に支承部を、もう片方に回転停止手段付の回転体を設けた構成を採用することもある。
【００１４】
この発明において、ケースの箱体と蓋体の両方にディスクを支持すると共に、板状体の裏側に歌詞カードなどの印刷物を収納する。
【発明の効果】
【００１５】
以上のように、この発明のディスクケースによれば、ディスクの周縁対向片方を支承部によって係止状態に支承し、もう片方を回転体の押え込み部によって押え込みながら支持するので、ディスクのセンター孔の欠損や支持爪の破損などがない。
【００１６】
そして、突部にディスクのセンター孔を嵌め込んでディスクの位置決めを行なうので、支承部に支承と回転体による押え込みとが確実に行なわれ、ディスクケースに振動や衝撃力が作用してもディスクの安定した支持が続行されて、ディスクの記録面に傷が付くようなこともない。
【００１７】
また、ケースの箱体と蓋体との片方に支承部と回転体とを設けると共に、もう片方に嵌装する板状体に支承部と回転体とを設けてあるので、ケースに二枚のディスクが収納することができる以外に板状体の裏側に歌詞カードなどの印刷物を収納することができる。
【発明を実施するための最良の形態】
【００１８】
以下、この発明の実施形態を添付図面に基づいて説明する。
【００１９】
この発明の第１の実施形態では、図１から図３に示すように、箱体１と、この箱体１の周囲一辺側にヒンジ２を介し開閉自在に設けた蓋体３とでケースＫを形成する。
【００２０】
上記の箱体１及び蓋体３は、図示の場合、主壁４と、この主壁４の辺縁から連なって主壁４の裏面方向に突出する周壁５とで構成し、上記のヒンジ２は、図示の場合、突軸と、この突軸を回動自在に嵌入する透孔や穴とからなるピン方式を採用したが、ハーフカットなどのヒンジであってもよい。
【００２１】
また、箱体１或いは蓋体３のいずれか片方の主壁４の内面中央には、ディスクＡのセンター孔ａを嵌装してディスクＡの位置決めをする突部６が設けてある。
【００２２】
上記の突部６は、図示の場合、主壁４から一体的に平面Ｃ字状の弧状壁を突出させて設けたが、目的を達成するための例えば突軸などの突起でもよい。
【００２３】
さらに、主壁４の内面突部６を挟んで対向する（突部６の中心を横切る線上の）片方には、ディスクＡの周縁一部が嵌り込んで支承する支承部７が、もう片方には、ディスクＡの周縁との接触によって回転（強制的に回転させて）し、かつ回転終了にともないディスクＡの周縁押え込みのための押え込み部を有する回転体８が設けてある。
【００２４】
上記の支承部７は、図示の場合、主壁４から一体に倒立Ｌ形の係止片を突出させて設けたが、主壁４に別部品を固着して設けることもできる。
【００２５】
上記の回転体８は、図示の場合、主壁４から対向する対の突出片９を設けて、この突出片９に設けてある透孔１０に三角板１１の外側面から突出する突軸１２を回転自在に嵌入すると共に、両三角板１１の角部にそれぞれ押え込み部としての杆材１３の端を固定（三本の並列状に）して設けたが、杆材１３の並列本数は限定されない。
【００２６】
さらに、回転体８の回転停止手段１４が設けてある。
【００２７】
上記の回転停止手段１４は、図示の場合、主壁４から一体に設けた「つ」字状の弾片１５の突出方向端部を三角板１１の周面に接触させ、三角板１１の直線の縁面と弾片１５との接触（圧接）によって回転止めをはかるようにしたが、その他の構成によって目的を達成することもある。
【００２８】
上記のように構成すると、支承部７にディスクＡの周縁一部を係止状態に嵌入したのち、ディスクＡの支承部７の反対側周縁を（図４矢符方向に）主壁４の裏面に向け降送（押し下げる）する。
【００２９】
すると、降送にともない図５に示すようにディスクＡの周縁と杆材１３との当接によって杆材１３と共に三角板１１を図５時計方向に強制的に回転させて、突部６にセンター孔ａが嵌り込み、かつ主壁４のストッパ１９（図２、６に示すようにディスクＡの板面が当接すると、それ以上のディスクＡの周縁による杆材１３の押し下げがなくなると共に、弾片１５の先端が三角板１１の角を乗りこえるので、三角板１１の直線な辺の面と弾片１５とが接触するように三角板１１と杆材１３とを強制的に回転させて停止する。
【００３０】
すると、図６に示すように、次の杆材１３によってディスクＡの周縁を押え込むと共に、この押え込みと支承部７による係止関係によってケースＫ内に安定よく（振動や衝撃などで外れることなく）支持される。
【００３１】
ディスクＡを取り出す場合は、ディスクＡの回転体８による押え込み付近の周縁を引き上げる。
【００３２】
すると、ディスクＡの周縁と当接している杆材１３とで図６反時計方向に三角板１１を強制的に回転させて押え込みを解除する。
【００３３】
なお、杆材にかえて回転体８の外周面軸線方向に押え込み部のための突条を設けてもよい。
【００３４】
要するに、回転体８の周面押え込み部によってディスクＡが浮上しないように押える。
【００３５】
この発明の第２の実施形態では、図７及び図８に示すように、主壁４に突部６、支承部７及び回転体８を設けてない側、図示の場合蓋体３内に板状体３１を嵌め込むと共に、この板状体３１の表面（蓋体３の主壁４の反対側面）には、第１の実施形態と同様の突部６、支承部７及び回転体８が設けてある。
【００３６】
すると、板状体３１（蓋体３側にも）にディスクＡを支持させることができ、ケースＫに二枚のディスクＡを収納することができる。
【００３７】
勿論、主壁４と板状体３１との間に歌詞カードなどの印刷物を入れることができる。
【００３８】
なお、回転停止手段１４は、図７に示すように、個々の回転体８、８に設ける以外に、蓋体３の閉鎖にともない箱体１と蓋体３との両三角板１１の直線の辺縁を突き合わせて回転止めとする（図示省略）こともできる。
【００３９】
上記板状体３１に設けた突部６、支承部７、回転体８は、第１の実施形態の主壁４に設けた突部６、支承部７及び回転体８と同様に、また、ディスクＡの支持作用及び支持解除は、第１の実施形態と同様につき説明を省略する。
【図面の簡単な説明】
【００４０】
【図１】この発明の第１の実施形態を示す展開平面図
【図２】閉鎖時のケースを示す縦断側面図
【図３】回転体の拡大平面図
【図４】ディスクの押え込み作用図
【図５】同作用図
【図６】同作用図
【図７】第２の実施形態を示す展開平面図
【図８】閉鎖時のケースを示す縦断側面図
【符号の説明】
【００４１】
Ａ      ディスク
ａ      センター孔
Ｋ      ケース
１      箱体
２      ヒンジ
３      蓋体
４      主壁
５      周壁
６      突部
７      支承部
８      回転体
９      突出片
１０    透孔
１１    三角板
１２    突軸
１３    杆材
１４    停止手段
１５    弾片
３１    板状体
【図１】
2005067718.tif 000003
【図２】
2005067718.tif 000004
【図３】
2005067718.tif 000005
【図４】
2005067718.tif 000006
【図５】
2005067718.tif 000007
【図６】
2005067718.tif 000008
【図７】
2005067718.tif 000009
【図８】
2005067718.tif 000010